(57)【要約】【課題】収納容器としても用いることができる救命胴衣を提供する。【解決手段】変形可能なシート状部材１０ａ、１０ｂと、シート状部材１０ａ、１０ｂに保持された複数の浮体３１、３２と、を備えた救命胴衣１である。救命胴衣１は、シート状部材１０ａ、１０ｂにおける、複数の浮体のうちの隣り合う浮体の間の部分で折り曲げられて、救命胴衣の形態から箱状の収納容器の形態に変形する。救命胴衣１は、前身頃１０と、後身頃２０と、前身頃１０と後身頃２０とを接続する左側巾部６０及び右側巾部と、を有し、前身頃１０には着用者が頭部を通すための頭通し部７０が形成され、前身頃１０と後身頃２０と左側巾部６０とにより、着用者の左腕を通すための左腕通し部７１が区画され、前身頃１０と後身頃２０と右側巾部とにより、着用者の右腕を通すための右腕通し部が区画されている。【選択図】図１
2017121831.tif 000002
【特許請求の範囲】
【請求項１】
変形可能なシート状部材と、
前記シート状部材に保持された複数の浮体と、を備えた救命胴衣であって、
前記シート状部材における、前記複数の浮体のうちの隣り合う浮体の間の部分で折り曲げられて、前記救命胴衣の形態から箱状の収納容器の形態に変形することを特徴とする救命胴衣。
【請求項２】
前身頃と、後身頃と、前身頃と後身頃とを接続する左側巾部及び右側巾部と、を有し、
前記前身頃には着用者が頭部を通すための頭通し部が形成され、
前記前身頃と前記後身頃と前記左側巾部とにより、前記着用者の左腕を通すための左腕通し部が区画され、
前記前身頃と前記後身頃と前記右側巾部とにより、前記着用者の右腕を通すための右腕通し部が区画されていることを特徴とする請求項１に記載の救命胴衣。
【請求項３】
前記収納容器の形態にある場合、前記頭通し部の少なくとも一部は底部に位置していることを特徴とする請求項２に記載の救命胴衣。
【請求項４】
前記後身頃に取り付けられ、前記救命胴衣の形態の場合は前記着用者の頭部を保護し、前記収納容器の形態の場合は該収納容器の底面を構成して前記頭通し部を覆う頭巾部をさらに備えていることを特徴とする請求項２又は３に記載の救命胴衣。
【請求項５】
前記頭巾部は、前記収納容器の形態の場合に収納部の内側面の少なくとも一部を覆う帯状部材を有していることを特徴とする請求項４に記載の救命胴衣。
【請求項６】
前記帯状部材は、前記収納部の内側面への取付け、及び取り外しが可能な脱着部材を有していることを特徴とする請求項５に記載の救命胴衣。
【請求項７】
前記前身頃に取り付けられ、前記救命胴衣の形態の場合は前記前身頃に対して変位することで浮力作用位置を変更し、前記収納容器の形態の場合は該収納容器の蓋体を構成する浮力調整部をさらに備えていることを特徴とする請求項２乃至６のいずれか１項に記載の救命胴衣。
【請求項８】
前記救命胴衣が前記収納容器の形態にある場合、前記前身頃の一部と前記後身頃の一部とが該収納容器の内側に折りこまれていることを特徴とする請求項２乃至７のいずれか１項に記載の救命胴衣。
【発明の詳細な説明】
【技術分野】
【０００１】
本発明は、救命胴衣に関する。
【背景技術】
【０００２】
救命胴衣は、水難事故に備えるための上衣として一般に広く知られている。
【０００３】
例えば、特許文献１には、浮力材と空気を注入することができる気室とを備えた救命胴衣が開示されている。
【先行技術文献】
【特許文献】
【０００４】
【特許文献１】特開２０１３−０８２４１２号公報
【発明の概要】
【発明が解決しようとする課題】
【０００５】
しかしながら、特許文献１の救命胴衣は、救命胴衣としての用途しかなく、救命胴衣として用いない場合には倉庫等に保管されるだけであった。
【０００６】
本発明は、このような問題点に着目してなされたもので、収納容器としても用いることができる救命胴衣を提供することを目的とする。
【課題を解決するための手段】
【０００７】
上記目的を達成するため、本願に係る救命胴衣は、変形可能なシート状部材と、前記シート状部材に保持された複数の浮体と、を備えた救命胴衣であって、前記シート状部材における、前記複数の浮体のうちの隣り合う浮体の間の部分で折り曲げられて、前記救命胴衣の形態から箱状の収納容器の形態に変形することを特徴とする。
【０００８】
前身頃と、後身頃と、前身頃と後身頃とを接続する左側巾部及び右側巾部と、を有し、前記前身頃には着用者が頭部を通すための頭通し部が形成され、前記前身頃と前記後身頃と前記左側巾部とにより、前記着用者の左腕を通すための左腕通し部が区画され、前記前身頃と前記後身頃と前記右側巾部とにより、前記着用者の右腕を通すための右腕通し部が区画されていてもよい。
【０００９】
前記収納容器の形態にある場合、前記頭通し部の少なくとも一部は底部に位置していてもよい。
【００１０】
前記後身頃に取り付けられ、前記救命胴衣の形態の場合は前記着用者の頭部を保護し、前記収納容器の形態の場合は該収納容器の底面を構成して前記頭通し部を覆う頭巾部をさらに備えていてもよい。
【００１１】
前記頭巾部は、前記収納容器の形態の場合に収納部の内側面の少なくとも一部を覆う帯状部材を有していてもよい。
【００１２】
前記帯状部材は、前記収納部の内側面への取付け、及び取り外しが可能な脱着部材を有していてもよい。
【００１３】
前記前身頃に取り付けられ、前記救命胴衣の形態の場合は前記前身頃に対して変位することで浮力作用位置を変更し、前記収納容器の形態の場合は該収納容器の蓋体を構成する浮力調整部をさらに備えていてもよい。
【００１４】
前記救命胴衣が前記収納容器の形態にある場合、前記前身頃の一部と前記後身頃の一部とが該収納容器の内側に折りこまれていてもよい。
【発明の効果】
【００１５】
本発明によれば、収納容器としても用いることができる救命胴衣を提供することができる。
【図面の簡単な説明】
【００１６】
【図１】本発明の実施形態に係る救命胴衣を示す図であり、（ａ）は前方からみた斜視図、（ｂ）は（ａ）中のｂ−ｂで切断した端面図。
【図２】本発明の実施形態に係る救命胴衣を後方からみた斜視図。
【図３】本発明の実施形態に係る救命胴衣の展開図であり、（ａ）は救命胴衣の主要部、（ｂ）は頭巾部、（ｃ）は浮力調整部、の展開図。
【図４】本発明の実施形態に係る救命胴衣が着用された状態を前方からみた斜視図。
【図５】収納容器に変形させた本発明の実施形態に係る救命胴衣の分解斜視図。
【図６】収納容器に変形させた本発明の実施形態に係る救命胴衣を示した図であり、（ａ）は前方からみた斜視図、（ｂ）は一部の図示を省略して前方からみた斜視図。
【発明を実施するための形態】
【００１７】
以下、本発明の実施形態に係る救命胴衣について、図面を参照しながら説明する。図１は、本発明の実施形態に係る救命胴衣を示す図であり、（ａ）は前方からみた斜視図、（ｂ）は（ａ）中のｂ−ｂで切断した端面図である。また、図２は、本発明の実施形態に係る救命胴衣を後方からみた斜視図である。また、図３は、本発明の実施形態に係る救命胴衣の展開図であり、（ａ）は救命胴衣の主要部、（ｂ）は頭巾部、（ｃ）は浮力調整部、の展開図である。なお、ユーザは、頭部を頭通し部７０（図１）に、左腕を左腕通し部７１（図１）に、右腕を右腕通し部７２（図２）に通すことにより、救命胴衣１を上衣として着用することができる。また、以下の説明では、起立した着用者から見た上下方向、左右方向、前後方向を、そのまま救命胴衣１の各方向として使用する。
【００１８】
救命胴衣１は、前身頃１０、後身頃２０、前身頃１０と後身頃２０とを接続する左側巾部６０及び右側巾部６１、後身頃２０に接続された頭巾部４０、及び前身頃１０に接続された浮力調整部５０から構成されている。なお、救命胴衣１の各構成要素の境界は、図３に示す実線や二点鎖線で示す位置にあるものとする。例えば、前身頃１０と後身頃２０との境界は、二点鎖線で示した境界線８０で示している。また、後身頃２０と右側巾部６１との境界、及び後身頃２０と左側巾部６０との境界は、それぞれ境界線８１、境界線８２で示している。後述するように、救命胴衣１には二枚の布地の間に複数の浮体が収容されている。図３に示す２点鎖線（例えば、境界線８０〜８２）は、隣接する浮体間の布地の部分に引かれており、救命胴衣１を容易に折り曲げることが可能な位置を示している。
【００１９】
前身頃１０は、救命胴衣１の前部を構成する。前身頃１０は、布地である表布１０ａと裏布１０ｂとが重ね合わせられて縫付部１０ｃで縫い合わされ、表布１０ａと裏布１０ｂとの間に、複数の浮体が収容された構成になっている。重ね合わされた表布１０ａ及び裏布１０ｂには、同一位置に、同形状の開口が形成されている。この開口に沿って縫い付けられることで、前身頃１０の第１前身頃１１から第２前身頃１２にかけて、ユーザが頭部を通すための開口である頭通し部７０が形成される。なお、前身頃１０は、複数の部位から構成されており、上方から順に、第１前身頃１１、第２前身頃１２、及び第３前身頃１３を有している。
【００２０】
第１前身頃１１は、前身頃１０の上部を構成し、図１（ｂ）に示すように、表布１０ａと裏布１０ｂとの間に第１浮体３１及び第２浮体３２を有している。第１浮体３１及び第２浮体３２は、略台形状をなしており、中央に形成された頭通し部７０を挟み込む位置に配されている。第１浮体３１及び第２浮体３２は、例えば、発泡ポリエチレンから形成されており、水中において浮力を作用させる。図１（ｂ）に示すように、第１浮体３１及び第２浮体３２の周囲に沿って、表布１０ａ及び裏布１０ｂが縫い合わされて縫付部１０ｃが形成されている。これにより、第１浮体３１及び第２浮体３２は、表布１０ａ及び裏布１０ｂ内での収容位置が固定される。第１浮体３１及び第２浮体３２が、表布１０ａと裏布１０ｂとの間に収容されていることにより、前身頃１０の表面（外面（外側を向いた面）及び内面（ユーザ側を向いた面））には、第１浮体３１及び第２浮体３２による膨らみが現れる。このように、前身頃１０の表面には、第１浮体３１による第１膨出部３１´、及び第２浮体３２による第２膨出部３２´が現れる。
【００２１】
以下の説明においても、複数の浮体を説明するが、これら浮体の材質は上記と同様、例えば発泡ポリエチレンから形成されているものとする。また、表布及び裏布の浮体の周囲は縫い合わされていることで、収容された浮体は移動することはない。また、救命胴衣１の表面には、これらの浮体による膨らみが形成されており、この膨らみを膨出部と記載し、これら膨出部に付加する符号は対応する浮体の符号に´を付したものを用いる。
【００２２】
第２前身頃１２は、前身頃１０の中間部を構成し、表布１０ａと裏布１０ｂとの間に第３浮体３３を有している。第３浮体３３は、頭通し部７０の形状に合わせてＶ字状の切欠き部を有している。これにより、前身頃１０の表面には、第３浮体３３による第３膨出部３３´が形成されている。また、第２前身頃１２の表布１０ａには、脱着部材である面ファスナ８３、８４が取り付けられている。
【００２３】
第３前身頃１３は、前身頃１０の下部を構成し、表布１０ａと裏布１０ｂとの間に矩形状の第４浮体３４を有している。これにより、前身頃１０の表面には、第４膨出部３４´が形成されている。
【００２４】
後身頃２０は、救命胴衣１の後部を構成する。後身頃２０は、重ねて縫い合わされた表布２０ａ及び裏布２０ｂと、表布２０ａと裏布２０ｂとの間に収容された複数の浮体により構成されている。表布２０ａと、前身頃１０の表布１０ａとは、一枚の布体から構成されている。また、裏布２０ｂと、前身頃１０の裏布１０ｂとは、一枚の布体から構成されている。後身頃２０は、複数の部位から構成されており、上方から順に、第１後身頃２１、第２後身頃２２、及び第３後身頃２３を有している。
【００２５】
第１後身頃２１は、後身頃２０の上部を構成し、表布２０ａと裏布２０ｂとの間に矩形状の第５浮体３５を有している。これにより、後身頃２０の表面には、第５浮体３５による第５膨出部３５´が形成されている。
【００２６】
第２後身頃２２は、後身頃２０の中間部を構成し、表布２０ａと裏布２０ｂとの間に矩形状の第６浮体３６を有している。これにより、後身頃２０の表面には、第６浮体３６による第６膨出部３６´が形成されている。
【００２７】
第３後身頃２３は、後身頃２０の下部を構成し、表布２０ａと裏布２０ｂとの間に矩形状の第７浮体３７を有している。これにより、後身頃２０の表面には、第７浮体３７による第７膨出部３７´が形成されている。
【００２８】
左側巾部６０（図１、図３）は、矩形状に裁断された表布６０ａ及び裏布（不図示）が重ねられ縫い合わされることにより構成されている。左側巾部６０は、第３前身頃１３と、第３後身頃２３とに縫い付けられ、前身頃１０と後身頃２０とを接続する。なお、図３においては、左側巾部６０の辺Ｄ−Ｆの近傍が、第３前身頃１３の辺Ｄ−Ｆの近傍に縫い付けられている。これにより、救命胴衣１に、前身頃１０、後身頃２０、及び左側巾部６０により区画された左腕通し部７１が形成される。また、左側巾部６０の裏布（不図示）には、面ファスナ８６、８７が取り付けられている。
【００２９】
右側巾部６１（図２、図３）は、矩形状に裁断された表布６１ａ及び裏布（不図示）が重ねられ縫い合わされることにより構成されている。右側巾部６１は、第３前身頃１３と、第３後身頃２３とに縫い付けられ、前身頃１０と後身頃２０とを接続する。なお、図３においては、右側巾部６１の辺Ｃ−Ｅの近傍が、第３前身頃１３の辺Ｃ−Ｅの近傍に縫い付けられている。これにより、救命胴衣１に、前身頃１０、後身頃２０、及び右側巾部６１により区画された右腕通し部７２が形成される。また、右側巾部６０１の裏布（不図示）には、面ファスナ８８、８９が取り付けられている。
【００３０】
頭巾部４０は、矩形状に裁断された表布４０ａ及び裏布４０ｂと、表布４０ａと裏布４０ｂとの間に収容された矩形状の第８浮体３８と、表布４０ａ及び裏布４０ｂの縁部に沿って縫い付けられた頭巾帯４１とから構成されている。なお、表布４０ａ、裏布４０ｂ、及び第８浮体３８から構成される矩形状の部分を浮体部４２ともいう。このように、内部に第８浮体３８が収容されていることにより、浮体部４２の表面には、第８膨出部３８´が形成されている。頭巾帯４１は、浮体部４２の３辺の近傍に縫い付けられている。すなわち、図３（ｂ）における展開図においては、辺Ａ−Ｇを互いに一致させ、辺Ｂ−Ｈを互いに一致させた状態で、浮体部４２及び頭巾帯４１が縫い合わされている。なお、頭巾帯４１には、面ファスナ９０、９１、９３、９４が取り付けられている。頭巾部４０は、第１後身頃２１と第２後身頃２２との境界部に縫い付けられている。すなわち、図３においては、後身頃２０の布地に引かれた二点鎖線Ａ−Ｂに、頭巾部４０の辺Ａ−Ｂの近傍が縫い付けられている。
【００３１】
浮力調整部５０は、矩形状に裁断された表布５０ａ及び裏布５０ｂと、表布５０ａと裏布５０ｂとの間に収容された矩形状の第９浮体３９とから構成されている。このように、内部に第９浮体３９が収容されていることにより、浮力調整部５０の表面には、第９膨出部３９´が形成されている。なお、浮力調整部５０の表布５０ａには、面ファスナ９５、９６が取り付けられている。浮力調整部５０は、第２前身頃１２と第３前身頃１３との境界部に縫い付けられている。すなわち、図３においては、前身頃１０に示された二点鎖線Ｃ−Ｄの近傍が、浮力調整部５０の辺Ｃ−Ｄの近傍に縫い合わされている。
【００３２】
次に、災害時に、ユーザが救命胴衣１を着用した様子について説明する。図４は、本発明の実施形態に係る救命胴衣が着用された状態を前方からみた斜視図である。ユーザ２は、頭部を頭通し部７０に、左腕を左腕通し部７１に、右腕を右腕通し部７２（図２）に通すことにより、救命胴衣１を上衣として着用することができる。
【００３３】
ユーザ２は、図４に示すように、後方にある頭巾部４０を頭部に被せることにより、防災頭巾として使用することができる。上述のように、頭巾部４０には、第８浮体３８（図３）が収容されているため、落下物からの衝撃を和らげて頭部を保護することができる。
【００３４】
また、洪水や津波等によって、ユーザ２が水にまきこまれた際には、救命胴衣１に収容された複数の浮体から浮力を受けて、ユーザ２は水中を浮遊することができる。この時、ユーザ２が、浮力調整部５０の位置を変えることにより、浮遊姿勢を調整することができる。例えば、図４に示すように、浮力調整部５０を第２前身頃１２に接触するように上方に折り曲げた場合、ユーザ２の胸位置に大きな浮力が作用する。浮力調整部５０の上方に折り曲げた状態を保持するために、第２前身頃１２に取り付けられた面ファスナ８３、８４に、浮力調整部５０に取り付けられた面ファスナ９５、９６を取付ければよい。
【００３５】
一方、図４に示す状態から、浮力調整部５０を下方に折り曲げることにより、ユーザ２の腹部位置に大きな浮力を作用させることができる。このように、浮力調整部５０の折り曲げる方向を変更することにより、浮力調整部５０による浮力が作用する位置を変更でき、ユーザ２の浮遊姿勢を調整することができる。
【００３６】
次に、救命胴衣１を、日常時に救命胴衣として使用せずに、収納容器として使用する場合について説明する。図５は、収納容器に変形させた本発明の実施形態に係る救命胴衣の分解斜視図である。また、図６は、収納容器に変形させた本発明の実施形態に係る救命胴衣を示した図であり、（ａ）は前方からみた斜視図、（ｂ）は一部の図示を省略して前方からみた斜視図である。図６（ａ）に示すように、収納容器に変形させた救命胴衣１は、外観上、もはや救命胴衣には見えないため収納容器１と記載し、符号は救命胴衣１と同様に“１”を付するものとする。また、図５においては、破断線Ａ−Ｂの箇所で第２前身頃１２と第３前身頃１３とが分離した状態を示し、破断線Ｃ−Ｄの箇所で第２後身頃２２と第３後身頃２３とが分離した状態を示し、破断線Ｅ−Ｆで頭巾部４０が分離した状態を示している。
【００３７】
図１に示す救命胴衣１を収納容器１に変形させる場合、前身頃１０を、第２前身頃１２と第３前身頃１３との境界で、図１に示す矢印９７の方向（救命胴衣１の内側）に折り曲げる。この第２前身頃１２と第３前身頃１３との境界は、隣り合う第３浮体３３（図３）と第４浮体３４（図３）との間に位置している。そのため、前身頃１０を容易に折り曲げることができる。同様に、後身頃２０を、第２後身頃２２と第３後身頃２３との境界で、図１に示す矢印９８の方向（救命胴衣１の内側）に折り曲げる。この第２後身頃２２と第３後身頃２３との境界は、隣り合う第６浮体３６（図３）と第７浮体３７（図３）との間に位置している。
【００３８】
このように、第２前身頃１２及び第２後身頃２２を、救命胴衣１の内側に折り曲げることにより、両者の間に位置する第１前身頃１１及び第１後身頃２１は、図５に示すように箱状に構成される収納容器１の底部に位置するようになる。
【００３９】
頭巾部４０は、図５に示すように、その一辺Ｅ−Ｆの近傍が、第１後身頃２１と第２後身頃２２との境界線Ｅ−Ｆに一致した状態で、後身頃１０の布地に縫い付けられている。救命胴衣１が収納容器１の形態にある場合、浮体部４２は、底部に位置する第１前身頃１１及び第１後身頃２１を上方から覆い、収納容器１の底面を構成する。また、頭巾帯４１に取り付けられた面ファスナ９０、９１、９３、９４は、それぞれ面ファスナ８８、８９、８６、８７に取り付けられる。このように面ファスナで固定された頭巾帯４１は、図５及び図６（ｂ）に示すように、立ち上がった状態で収納容器１の内側面を覆う。これにより、第１前身頃１１から第２前身頃１２にわたって形成された開口である頭通し部７０は、頭巾部４０により覆われる（図６（ｂ））。したがって、収納容器１に収納された収納物が頭通し部７０から落下することを抑制することができる。
【００４０】
浮力調整部５０は、箱状の収納容器１に、その上辺に沿って縫い付けられており、図６（ａ）に示すように、収納容器１の蓋体としての上部を覆う。これにより、収納容器１内にごみ等が進入することを抑制することができる。
【００４１】
このように、本実施形態に係る救命胴衣１を、隣り合う浮体間を折り目として折り曲げることで、図６（ａ）に示すように、縦（Ｄ）、横（Ｗ）、高さ（Ｈ）の寸法を有する、内部に収納部が形成された箱状の収納容器１が構成される。なお、救命胴衣１の各構成要素の寸法は、収納容器１の各寸法を用いるとおおよそ次の通りである。第２前身頃１２、第３前身頃１３、第２後身頃２２、及び第３後身頃２３は、Ｗ×Ｈの寸法を有する。第１前身頃１１、及び第１後身頃２１は、Ｗ×Ｄ／２の寸法を有する。左側巾部６０、及び右側巾部６１は、Ｄ×Ｈの寸法を有する。頭巾部４０（頭巾帯４１は除いた浮体部４２）、及び浮力調整部５０はＷ×Ｄの寸法を有する。
【００４２】
以上説明したように、本発明の実施形態に係る救命胴衣１においては、着衣の形態から隣り合う浮体間で折り曲げることで、箱状の収納容器１の形態に変形させることができる。これにより、日常時には、収納容器１として利用して、防災用品、例えば、ヘルメット、懐中電灯、水、食料等を収納しておくことができる。そして、洪水等の災害時には、収納容器１から変形させて、救命胴衣１として着用することができる。
【００４３】
また、前身頃１０及び後身頃２０に収容された複数の浮体は、緩衝剤として機能する。これにより、水中を浮遊している際に、浮遊物から体を守ることができるとともに、地震等が発生した場合にも、倒れてきた家具等から身を守ることができる。
【００４４】
また、救命胴衣１には、第９浮体３９が収容された頭巾部４０が取り付けられている。これにより、頭巾部４０を、災害時に着用者の頭を防護するための防災頭巾として機能させることができる。
【００４５】
また、前身頃１０に浮力調整部５０を取付けることで、着用者が、浮力調整部５０の折り曲げ方向を変更することで、浮遊姿勢を調整することができる。これにより、着用者の体格や体型に適した浮力を、着用者自身で調整することができる。さらに、前身頃１０及び浮力調整部５０にファスナ８３、８４、９５、９６を取付けていることで、浮力調整部５０を前身頃１０に密着した状態で保持することができる。これにより、ユーザ２の浮遊姿勢を安定させることができる。
【００４６】
また、救命胴衣１を変形させる際に折り曲げる位置は、隣り合う浮体の間である。そのため、救命胴衣１を見るだけで折り曲げ位置を理解することができるため、救命胴衣１の変形作業を容易に行うことができる。
【００４７】
また、収納容器１の形態の際、頭巾帯４１を有する頭巾部４０により、頭を通すための開口である頭通し部７０を覆う構成としている。また、頭巾帯４１は、ファスナにより収納容器１の内側面の一部を覆った状態で固定されている。これにより、収納物が頭通し部７０から落下するという不具合を抑制することができる。
【００４８】
また、収納容器１の形態の際、蓋体である浮力調整部５０を閉じることにより、内部の収納物を収納容器１で覆うことができる。これにより、収納物の破損等を抑制することができる。
【００４９】
また、収納容器１は、縦（Ｄ）、横（Ｗ）、高さ（Ｈ）の寸法を有する箱状を呈するが、図６に示すように、縦（Ｄ）と高さ（Ｈ）との大きさに大きな違いはない。また、横（Ｗ）は、縦（Ｄ）や高さ（Ｈ）の２倍程度の大きさである。そのため、収納容器１は、ノート等の薄い収納物だけでなく、正方形状や球状等の様々な形状の収納物を収納するこができる。
【００５０】
また、収納容器１の底面を構成する第１前身頃１１及び第１後身頃２１の寸法を、おおよそＷ×Ｄ／２としている。そのため、収納容器１の底面は、中央で第１前身頃１１と第１後身頃２１とに分かれている。これにより、第１前身頃１１と第１後身頃２１の境界を、収納容器１の中央に位置するように変形させればよく、変形作業を迷うことなく実行できる。また、前身頃１０と後身頃２０との上下方向の長さを一致させることができ、救命胴衣１の作成を容易なものとすることができる。
【００５１】
また、積み重ねが困難なヘルメット等であっても、ヘルメットを収納容器１に収納すれば、積み重ねて部屋等に置いておくことができる。また、１の収納容器１に対して、一人用の災害用品、例えば１のヘルメット等を対応させて収納しておくことで、一人に必要な災害用品を過不足なく準備することができる。
【００５２】
この発明は、上記実施の形態に限定されず、様々な変形及び応用が可能である。上記実施の形態では、表布と裏布との２枚の布地の間に浮体を収容している場合について説明したが、例えば、一枚の布地に、浮体を接着剤や溶着等で取り付ける構成としてもよい。
【００５３】
また、二枚の布地は、織布であってもよいし、不織布であってもよい。さらに、合成樹脂等からなるシート状の材料から形成してもよい。本明細書において、シート状部材とは、織布、不織布、及びシート状に形成された合成樹脂等を含む部材であるとする。
【００５４】
また、左側巾部と右側巾部とには浮体を設けていなかったが、これらの部分に浮体を設けてもよい。これにより、収納容器１の全ての面に浮体が配されることとなり、収納物に作用する衝撃が緩和され、破損等を抑制することができる。
【００５５】
また、収納容器１の蓋体を構成する浮力調整部５０に面ファスナや線ファスナを取付け、収納容器１を閉じた状態を保持できる構成を採用してもよい。
【００５６】
また、救命胴衣に収容されている浮体は、発泡ポリエチレンから形成されていると説明したが、浮力を十分に発揮しうる材料であれば、他の材料から形成してもよい。また、表地及び裏地の間に複数の気室を設け、この気室に空気を注入して浮力を得る救命胴衣であってもよい。この場合であっても、隣り合う気室の間に折り曲げ位置を設定しておくことで、収納容器への変形を容易なものとすることができる。
【００５７】
また、救命胴衣にポケットを設置してもよい。例えば、着用者の首近傍にポケットを設けて、救助を求めるための笛を収容するようにしてもよい。また、着用者の腹部近傍にポケットを設けて、手袋等を収容するようにしてもよい。このように、収容するものを想定して、利用しやすい位置に適宜ポケットを設けるようにしてもよい。
【００５８】
また、頭巾部に、１枚の第９浮体を設けた形態について説明した。しかしながら、左右方向に並んだ複数の浮体を頭巾部に収容する形態であってもよい。これにより、ユーザが頭部に頭巾部を被せた際に、頭部の形状に沿わせて容易に頭巾部を変形させることができる。
【００５９】
また、頭巾部の左右それぞれに、紐体を取付けてもよい。これにより、ユーザの顎に紐体を結んで、頭巾部をユーザの頭部に固定することができる。また、収納容器の形態の際、頭巾帯は、面ファスナにより固定されていると説明したが、他の態様であってもよい。例えば、線ファスナにより固定してもよい。この場合、頭巾帯の各端辺に、線ファスナの一方のエレメントを取付けるとともに、他方のエレメントを第２前身頃、左側巾部、及び右側巾部のそれぞれにとりつければよい。その他、公知の固定手段により、頭巾帯を固定してもよい。
【００６０】
また、図６（ａ）に示すように、ユーザが収納容器１を持ち運びできるように、第１手提げ紐１０１、及び第２手提げ紐１０２を設けてもよい。第１手提げ紐１０１は、その両端が収納容器１の前側下部に間隔をあけて取り付けられている。また、第２手提げ紐１０２も同様に、その両端が収納容器１の後側下部に間隔をあけて取り付けられている。第１手提げ紐１０１は、収納容器１の上部に取り付けられた紐体１０３に、第２手提げ紐１０２は、収納容器１の上部に取り付けられた紐体１０４に通されている。これにより、ユーザは、第１手提げ紐１０１、及び第２手提げ紐１０２を手に取って、収納容器１を持ち運びすることができる。また、第１手提げ紐１０１、及び第２手提げ紐１０２の長さを十分に確保することで、ユーザが両腕を通して収納容器１を背負うこともできる。
【符号の説明】
【００６１】
１      救命胴衣、収納容器
２      ユーザ
１０      前身頃
１１      第１前身頃
１２      第２前身頃
１３      第３前身頃
２０      後身頃
２１      第１後身頃
２２      第２後身頃
２３      第３後身頃
３１〜３９      浮体
４０      頭巾部
４１      頭巾帯
４２      浮体部
５０      浮力調整部
６０      左側巾部
６１      右側巾部
７０      頭通し部
７１      左腕通し部
７２      右腕通し部
８３〜９６      面ファスナ
【図１】
2017121831.tif 000003
【図２】
2017121831.tif 000004
【図３】
2017121831.tif 000005
【図４】
2017121831.tif 000006
【図５】
2017121831.tif 000007
【図６】
2017121831.tif 000008